(57)【要約】      （修正有）【課題】微生物の発生及び羽化を抑止し、藻を発生前段階で抑止し、排水内の殺菌効果を発生させる桝を提供。【解決手段】略ケース型をなすコンクリート製桝本体２と、取り付けられるグレーチング又はコンクリート蓋５と、側溝又は排水管内の排水路と桝の排水貯留部を連通させる貫通孔１２とを有する桝１であって、桝本体２内部の排水貯留部内に、銅イオン発生部材８を設る。【選択図】図１
2009046861.tif 000002
【特許請求の範囲】
【請求項１】
底部に排水貯留部及び上壁に開口部を有し、略ケース型をなすコンクリート製桝本体と、
前記上壁開口部に取り付けられるグレーチング又はコンクリート蓋と、
前記桝本体の側壁に貫通して設けられ、側溝又は排水管の端部が取り付けられて側溝又は排水管内の排水路と桝の排水貯留部を連通させる貫通孔と、
を有する桝であって、
前記桝本体内部の前記排水貯留部内には、貯留された排水に浸透可能な銅イオン発生部材が設けられた、
ことを特徴とする蚊発生阻止用桝。
【請求項２】
前記銅イオン発生部材は板状からなる銅製又は銅メッキ製プレート部材で構成した、
ことを特徴とする請求項１記載の蚊発生阻止用桝。
【請求項３】
前記銅イオン発生部材は鎖状からなる銅製又は銅メッキ製又は銅メッキ製鎖部材で構成した、
ことを特徴とする請求項１記載の蚊発生阻止用桝。
【請求項４】
前記銅イオン発生部材は銅線からなる銅線部材で構成した、
ことを特徴とする請求項１記載の蚊発生阻止用桝。
【請求項５】
前記銅イオン発生部材は繊維状からなる銅製又は銅メッキ製又は銅メッキ製ファイバー部材で構成した、
ことを特徴とする請求項１記載の蚊発生阻止用桝。
【発明の詳細な説明】
【技術分野】
【０００１】
本発明は桝にかかり、特に集水桝、雨水桝あるいは街渠桝などにおいて桝本体内に銅イオン発生部材を取り付けた桝に関するものである。
【背景技術】
【０００２】
従来、コンクリート製の桝、特に集水桝、雨水桝あるいは街渠桝などの構成については、数多くの提案がなされている。例えば特開２００５−３４４４４４号公報に記載されている発明が一般に知られている。
しかしながら、前記従来の桝では、その桝本体底面の排水貯留部内に排水、土砂及びゴミ等が一定期間貯留される。
そして、その貯留された排水からはボウフラ等の微生物が発生し、かつ羽化し、桝内からの蚊の大量発生が見受けられることが多々ある。
また前記排水内において藻の発生、菌の繁殖等の衛生上の課題も生じていた。
ここで、近年、蚊（コガタアカイエカ）を媒介とする日本脳炎や西ナイル熱等、特定ウィルスの人体への感染の恐れが深刻な問題とされている中、昨今の実験及び研究において、銅には殺藻効果、殺菌効果があり、ひいては蚊の幼虫であるボウフラの羽化や微生物の発生を抑止する効果があることが化学的に実証された。
具体的には銅が分子状態で水中に溶解し、銅イオンとなった場合に、藻類や微生物の細胞内の生化学反応に作用し、殺藻殺菌効果を生じさせ、ひいては微生物の発生を抑止させる効果があることが判明した。
【特許文献１】特開２００５−３４４４４４号公報
【発明の開示】
【発明が解決しようとする課題】
【０００３】
かくして、本発明は、前記従来からの各種提案にさらに思考、改良を加えて創案されたものであって、桝における蚊の大量発生の問題等に鑑み、上記の銅イオンの微生物発生の抑止効果及び殺藻殺菌効果に着目し、銅イオン発生部材を桝本体内に設置し、前記排水貯留部内の排水に浸透させることで、排水内に銅イオンを生じさせ、蚊の卵、ボウフラを代表とする微生物発生、羽化を抑止し、かつ藻を発生前段階で抑止し、さらには排水内の殺菌効果を発生させ、レジオネラ菌等の菌の繁殖等をも防ぐ桝を提供することを目的とするものである。
【課題を解決するための手段】
【０００４】
本発明による蚊発生阻止用桝は、
底部に排水貯留部及び上壁に開口部を有し、略ケース型をなすコンクリート製桝本体と、
前記上壁開口部に取り付けられるグレーチング又はコンクリート蓋と、
前記桝本体の側壁に貫通して設けられ、側溝又は排水管の端部が取り付けられて側溝又は排水管内の排水路と桝の排水貯留部を連通させる貫通孔と、
を有する桝であって、
前記桝本体内部の前記排水貯留部内には、貯留された排水に浸透可能な銅イオン発生部材が設けられた、
ことを特徴とし、
または、
前記銅イオン発生部材は板状からなる銅製又は銅メッキ製プレート部材で構成した、
ことを特徴とし、
または、
前記銅イオン発生部材は鎖状からなる銅製又は銅メッキ製又は銅メッキ製鎖部材で構成した、
ことを特徴とし、
または、
前記銅イオン発生部材は銅線からなる銅線部材で構成した、
ことを特徴とし、
または、
前記銅イオン発生部材は繊維状からなる銅製又は銅メッキ製又は銅メッキ製ファイバー部材で構成した、
ことを特徴とするものである。
【発明の効果】
【０００５】
本発明による桝であれば、桝本体底面に設けられる排水貯留部内の排水において蚊の卵、ボウフラ等の微生物の発生、羽化を抑止でき、かつ前記排水中における藻を発生前段階で抑止でき、さらには殺菌効果を生じさせる桝を提供出来るとの優れた効果を奏する。
【発明を実施するための最良の形態】
【０００６】
以下本発明を図に示す実施例に基づいて説明する。
ところで、桝には側溝が対向する両側壁につながっていて、右から左に流れるものだけでなく、取り付けられている側溝よりも少し低い位置で、直交する方向に排水管が取り付けられていてその排水管に水が排出される場合も多くある。
【０００７】
また、貫通する側溝がない場合もあり、その様な場合は桝の上部のグレーチングから水を飲む。そして、桝から水を排出させるために排水管が取り付けられている。
さらに、場合によっては接続される側溝が暗渠型側溝である場合もある。
また、排水管から流入して排水管へ流れていくような桝もある。
【０００８】
しかして、この様に、桝から必ず水は排出されるが、その水の排出方法は、接続された排水管からの場合と側溝からの場合がある。
そして、桝への水の流入は前記接続された側溝や排水管だけでなく、上部のグレーチングからや穴の開いたコンクリート蓋から流入する場合も見受けられる。一つの桝に対して、流入は複数ある場合もありますが、流出は基本的に一箇所からと考えられる。
【０００９】
本発明で適用される枡は何ら限定されるものではない。すべての枡に適用されるものであるが、その一例を挙げれば、鉄筋コンクリート特殊改良枡「東京都ＣＤ型」（図９参照）、Ｌ型集水枡（図１０−（a）及び図１０−(b)参照）、Ｌ型街きょ用枡（図１１参照）、鉄筋コンクリートＬ型集水枡（図１２参照）、鉄筋コンクリート型集水枡（図１３参照）などがある。
【００１０】
ここでは、図１に基づいてまず本発明の一実施例を説明する。
図１に示す通り、桝１は略ケース型からなる桝本体２と、該桝本体２の上壁部３を貫通する開口部４に取り付けられるグレーチング又はコンクリート蓋５と、前記桝本体内に設置され、前記桝本体２の底部６における排水貯留部７の排水に浸透可能な位置に取り付けられる銅イオン発生部材８とにより構成されている。
【００１１】
前記桝本体２は、上壁部３、底部６及び側壁部９の一体形成による略ケース型をなし、該桝本体２の上壁部３には開口部４が形成されている。
該開口部４は嵌合して取り付けられる前記グレーチング又はコンクリート蓋５の形状に対応した幅、長さをなして略方形状の形状に構成されている。
【００１２】
また、前記桝本体２の底部６には凹状の形状に凹みを持って形成された排水貯留部７が形成されている。
さらに、前記桝本体２の対抗する両側壁部９，９には、該両側壁部９，９を貫通して貫通孔１２、１２が設けられている。
ここで、該貫通孔１２、１２近傍位置には、前記側溝１０の端部が取り付けられ、これにより側溝１０内の排水路１１と桝本体２の排水貯留部７とが連通するものとなる。
そして、貫通孔１２の外形と接続された両側溝１０，１０における排水路１１、１１の外形とは、ほぼ同等形状をなして形成されている。
【００１３】
ここで、図１から明らかなように、前記桝本体２内の底部６あるいは側壁部９内側には銅イオン発生部材８が設置される。
前記銅イオン発生部材８は前記排水貯留部７内に排水等が貯留された場合、該銅イオン発生部材８の全体あるいは一端側が排水内に浸透可能な位置に取り付け設置されことが好ましい。
【００１４】
また、設置される前記銅イオン発生部材８の設置個数、実施形態、係る部材のタイプについては何ら限定されるものではない。
【００１５】
例えば、前記銅イオン発生部材８は板状の銅製又は銅メッキ製プレート部材、あるいは鎖状の銅製又は銅メッキ製鎖部材、銅線部材、繊維状の銅製又は銅メッキ製ファイバー部材をもってして実施され、いずれのタイプの部材を用いても構わないものとする。
【００１６】
なお、図７及び図８に表されたものは、銅イオン発生部材８の各種タイプ別（銅板、銅線、銅ファイバー）のサルモネラ菌、レジオネラ菌等の各種菌に対する殺菌効果を比較測定した実験結果である。
【００１７】
具体的には、前記銅イオン発生部材８の各種タイプ（銅板、銅線、銅ファイバー）の同重量を滅菌ビーカーに入れ、試供菌液を注入し２０℃所定時間静置後、試供菌液を計測培地に混釈し、培養後発生した集落数を計測した。
【００１８】
また、超純水に３つの形状（銅板、銅線、銅ファイバー）の同重量を入れ、銅濃度の経時変化をイオンクロマトグラフィーの利用により測定した。
その結果、銅ファイバーでは銅濃度が８時間後には282μg/lであったのに対し、銅板では15μg/l、銅線では67μg/lであり、上記の図７及び図８の実験結果と照らし合わせると、銅の殺菌効果は水中の銅濃度に相関しているという結果が得られた。
【００１９】
また、同重量でも銅板、銅線では殺菌効果をほとんど示さなかった場合でも、銅ファイバーでは十分な殺菌効果を示したことから、銅を繊維化することで銅の溶出量を増加させ、殺菌効果、殺藻効果の増加を図ることが可能という結果を得られた。
【００２０】
よって、当該実験結果から鑑みて、銅ファイバーを用いた場合の各種細菌に対する殺菌効果が他のタイプ（銅板、銅線）の銅製又は銅メッキ製部材より顕著に現れるため、本発明の効果を充分に得るためには銅製又は銅メッキ製ファイバー部材の使用が好ましいものと考えられる。
【００２１】
しかして、前記底部６あるいは側壁部９内側に、前記銅イオン発生部材８が前記排水貯留部７内の排水内に、その全体あるいは一端側が浸透可能な位置に取り付けられる。
【００２２】
例えば、図２から理解されるように、前記銅イオン発生部材８が銅製又は銅メッキ製プレート部材であれば、該銅イオン発生部材８の基端部両側に取り付け穴１５を設け、該取り付け穴１５にナット１６を螺挿し、前記底部６あるいは側壁部９内側に固定して取り付ける。
【００２３】
あるいは図３から理解されるように、前記銅イオン発生部材８が鎖状の銅製又は銅メッキ製鎖部材であれば、例えば、該銅イオン発生部材８の一方側端部を前記底部６あるいは側壁部９内側に固定して取り付ける。
【００２４】
あるいは図４から理解されるように、前記銅イオン発生部材８が銅線部材であれば、例えば、該銅イオン発生部材８を数本の束状にし、前記底部６あるいは側壁部９内側に固定して取り付ける。
【００２５】
また、図５から理解されるように、前記銅イオン発生部材８が繊維状の銅製又は銅メッキ製ファイバー部材であれば、例えば、該銅イオン発生部材８を袋状の網などの中に入れ、該部材の一方側端部を前記底部６あるいは側壁部９内側に固定して取り付ける。
【００２６】
次に、本発明における前記銅イオン発生部材８が有する微生物発生抑止及び殺藻殺菌効果について説明する。
藻類や微生物はその細胞内の生化学反応により自己の細胞に適した栄養物質やエネルギー源を取り入れ、その栄養物質やエネルギー源が様々な生化学反応によって、実際に必要なエネルギーに変わり生命活動を行う。
【００２７】
ここで、あらゆる生命のエネルギー源となる物質はアデノシン三リン酸（ATP）である。
アデノシン三リン酸（ATP）は細胞に必要なエネルギーの生成、遺伝子や蛋白質の合成などに関与しており、アデノシン三リン酸（ATP）が存在しなければ取り込んだ栄養物質も消化、吸収することができず結果的に細胞の生命活動ができない。
銅はヒトにとって必要微量元素であるが、下等生物に対しては生命活動への影響が強く、ヒトや高等生物は吸収、分布、代謝などの機構により、銅を栄養素として取り込む機構があるのに対し、下等生物はその機構が不十分で銅による影響を受けやすい生態構造となっている。特に水生生物に対しては強い影響が確認される。
【００２８】
そこで、本発明の桝本体２内に設けられた前記銅イオン発生部材８の銅が排水貯留部７内の排水に浸透することで分子状態で水中に溶解し、銅イオンとなった場合、以下の過程（ステップ１００乃至１０６）で下等生物である微生物及び藻類に影響し、微生物発生抑止及び殺藻殺菌効果を作用する。（図６参照）
【００２９】
まず、銅イオンが細胞表面の陰イオン部分に吸着する（ステップ１００）。
そして吸着した銅イオンが速やかに細胞内に浸透する（ステップ１０１）。
係る銅イオンがアデノシン三リン酸の一連の生化学反応に作用する（ステップ１０２）。
そして、銅イオンが細胞酵素と結合して（ステップ１０３）、アデノシン三リン酸の生化学反応を阻害する（ステップ１０４）。
さらに蛋白質の結合、変性、凝集が起こり（ステップ１０５）、
その結果、微生物や藻類が増殖停止、抑制、死滅に至る（ステップ１０６）。
上記のように前記排水貯留部７の排水中の銅イオンは、微生物や藻類の生命活動の根源に作用し、細胞に直接ダメージを与える効果を奏する。
【００３０】
しかして、本発明は、前記銅イオン発生部材８を前記側壁部９内側あるいは底部６に設置し、前記排水貯留部７の排水に浸透させることで、排水内に銅イオンを生じさせ、蚊の卵、ボウフラ等の微生物発生及び羽化を抑止し、かつ藻類を発生前段階で抑止し、排水内の殺菌効果を発生させる桝を提供できるのである。
【００３１】
ここで、本発明による桝１の敷設にあたっては、施工現場において、まず先に前記桝本体２が運搬され、敷設箇所において水平にして敷設される。
しかして、当該敷設箇所には基礎砕石１３が打設され、その上に敷モルタル１４が打設されている。
そして、その上に前記桝本体２載置され、敷設される。
【００３２】
また、前述のように、前記桝本体２内の底部６あるいは側壁部９内側には前記銅イオン発生部材８が設置される。
最後に前記上壁部３の開口部４にはグレーチング又はコンクリート蓋５が嵌合されて取り付けられる。
【００３３】
次に上記のようにして構成された桝１を使用した側溝路の施工について説明する。
敷設される側溝路１７の所定間隔位置には前記桝１が複数箇所に設けられる。
この桝１の施工方法は前述したとおりであるが、このように載置された前記桝１は幅方向略中央位置に貫通孔１２が長手方向に向かって設けられており、該貫通孔8を介して連結される側溝１０に設けられた排水路１１と桝本体２内の排水貯留部７とが連通されるよう敷設される。
【００３４】
また、桝１の形状及び側溝１０の形状は、略同等の幅の形状をなして構成されており、それを長手方向に接続して形成すると同一の幅となる排水路１１が形成できるものとなる。
【００３５】
ところで、本発明に使用される側溝１０はその上壁に幅方向略中央位置において長手方向に伸びるスリットが形成されている。このスリットから側溝内部に浸透した雨水は排水路１１内を流れ桝１の排水貯留部７に移動する。
該排水貯留部７に側溝１０内を流れた雨水が移動し泥水が溜められる。
所定量の排水が溜められたら、上方のグレーチング又はコンクリート蓋５を外し、ポンプ等を挿入して溜められた排水を取り除くことになる。
【図面の簡単な説明】
【００３６】
【図１】本発明による桝の構成を説明する説明図である。
【図２】本発明による桝の実施例を説明する説明図である（その１）。
【図３】本発明による桝の実施例を説明する説明図である（その２）。
【図４】本発明による桝の実施例を説明する説明図である（その３）。
【図５】本発明による桝の実施例を説明する説明図である（その４）。
【図６】本発明における銅イオン発生部材を用いた殺藻殺菌効果を説明する説明図である。
【図７】本発明における銅イオン発生部材の各種類別の殺菌効果比較の説明図である（その1）。
【図８】本発明における銅イオン発生部材の各種類別の殺菌効果比較の説明図である（その２）。
【図９】鉄筋コンクリート特殊改良枡「東京都ＣＤ型」の構成説明図である。
【図１０−（ａ）】Ｌ型集水枡の構成説明図である。
【図１０−（ｂ）】Ｌ型集水枡の構成説明図である。
【図１１】Ｌ型街きょ用枡の構成説明図である。
【図１２】鉄筋コンクリートＬ型集水枡の構成説明図である。
【図１３】鉄筋コンクリート型集水枡の構成説明図である。
【符号の説明】
【００３７】
１ 桝 
２ 桝本体
３ 上壁部
４ 開口部
５ グレーチング又はコンクリート蓋
６ 底部
７ 排水貯留部
８ 銅イオン発生部材
９ 側壁部
１０ 側溝
１１ 排水路
１２ 貫通孔
１３ 基礎砕石
１４ 敷モルタル
１５ 取り付け穴
１６ ナット
１７ 排水管  
【図１】
2009046861.tif 000003
【図２】
2009046861.tif 000004
【図３】
2009046861.tif 000005
【図４】
2009046861.tif 000006
【図５】
2009046861.tif 000007
【図６】
2009046861.tif 000008
【図７】
2009046861.tif 000009
【図８】
2009046861.tif 000010
【図９】
2009046861.tif 000011
【図１０−（ａ）】
2009046861.tif 000012
【図１０−（ｂ）】
2009046861.tif 000013
【図１１】
2009046861.tif 000014
【図１２】
2009046861.tif 000015
【図１３】
2009046861.tif 000016